(57)【要約】【課題】  シート状画像を正確に容易に配置できる画像表示保持体の提供。【解決手段】  矩形のシート状画像Ｘの画像表面を覆う透明第１矩形板状部材Ａと、その第１部材Ａと同形、同寸であって、前記シート状画像を前記第１部材Ａの所定位置に位置決めさせ、前記シート状画像の裏面に配置される透明第２矩形板状部材Ｂと、前記第１部材Ａと第２部材Ｂの間で前記シート状画像を前記所定位置に圧接保持させる圧接部材Ｄを含んで構成され、前記第２部材Ｂは、前記シート状画像に圧接する平面の中心点（前記第２部材Ｂの角部Ｆ1、Ｆ3およびＦ2、Ｆ4を結ぶ各対角線の交点）Ｈと、その中心点を通り、圧接平面の上下縁に垂直であって、前記シート状画像の上下縁より外側部分を含まない直線部分Ｉが表示されている画像表示保持体。【選択図】      図１
2006296970.tif 000002
【特許請求の範囲】
【請求項１】
矩形のシート状画像を表示保持する画像表示保持体であって、前記シート状画像の画像表面を覆う透明の第１矩形板状部材Ａと、その透明第１矩形板状部材Ａと同形、同寸であって、前記シート状画像を前記透明第１矩形板状部材Ａの所定位置に位置決めさせ、前記シート状画像の裏面に配置される透明第２矩形板状部材Ｂと、前記透明第１矩形板状部材Ａと透明第２矩形板状部材Ｂの間で前記シート状画像を前記所定位置に圧接保持させる圧接部材Ｄを含んで構成され、前記透明第２矩形板状部材Ｂは、前記シート状画像に圧接する平面の中心点（透明第２矩形板状部材Ｂの角部Ｆ1、Ｆ3およびＦ2、Ｆ４を結ぶ各対角線の交点）と、その中心点を通り、圧接平面の上下縁に垂直であって、前記シート状画像の上下縁より外側部分を含まない直線部分が表示されていることを特徴とする画像表示保持体。
【請求項２】
請求項１に記載の画像表示保持体であって、更に透明第１矩形板状部材Ａと同形、同寸の基板Ｃを有し、矩形のシート状画像を透明第１矩形板状部材Ａと透明第２矩形板状部材Ｂの間に保持し、且つ透明第２矩形板状部材Ｂの裏面に基板Ｃが接触した状態で、これら透明第１矩形板状部材Ａ、透明第２矩形板状部材Ｂおよび基板Ｃが上、下、左右側縁において合致するように一体として、前記圧接部材Ｄによって圧接状態で組立てられることを特徴とする画像表示保持体。
【請求項３】
請求項２に記載の画像表示保持体において、前記基板Ｃは、透明第１矩形板状部材Ａと相似形であり、前記透明第１矩形板状部材Ａ、透明第２矩形板状部材Ｂおよび基板Ｃが一体に組立てられた状態で、前記透明第２矩形板状部材Ｂの側縁から所定範囲で一様に外側にはみ出る大きさの矩形平板であることを特徴とする画像表示保持体。
【請求項４】
請求項２または３に記載の画像表示保持体であって、前記圧接部材Ｄはボルトおよびナットから構成され、また前記透明第１矩形板状部材Ａ、透明第２矩形板状部材Ｂおよび基板Ｃにより、シート状矩形画像表示保持体が一体に組立てられた状態で、前記画像表示保持体の角部Ｆ1、Ｆ3およびＦ2、Ｆ４を結ぶ各対角線上において、各角部突端より等距離である角部近傍であって、前記透明第１矩形板状部材Ａ、透明第２矩形板状部材Ｂおよび基板Ｃを前記ボルトが貫通し得る位置に貫通孔Ｅが形成されていることを特徴とする画像表示保持体。
【請求項５】
請求項２〜４のいずれか一項に記載の画像表示保持体であって、基板Ｃが一様に着色されていることを特徴とする画像表示保持体。
【請求項６】
請求項３〜５のいずれか一項に記載の画像表示保持体であって、基板Ｃはシート状画像の大きさに対応する幅の着色された縁を形成することを特徴とする画像表示保持体。
【請求項７】
請求項１〜６のいずれか一項に記載の画像表示保持体であって、画像表示保持体の背面に画像表示保持体を垂直壁面に懸垂保持する保持部材を有することを特徴とする画像表示保持体。
【請求項８】
請求項１〜６のいずれか一項に記載の画像表示保持体であって、画像表示保持体を設置する平面に対する画像表示保持体の角度を調節可能に保持する保持部材を有することを特徴とする画像表示保持体。
【請求項９】
請求項１に記載の画像表示保持体において、前記透明第２矩形板状部材Ｂの全体に対して設けられた、前記シート状画像に圧接する平面の中心点と、その中心点を通り、圧接平面の上下縁に垂直であって、前記シート状画像の上下縁より外側部分を含まない直線部分を含む組合せ（配置基準線ユニット）が、前記透明第２矩形板状部材Ｂを側縁および上下縁に並行する仮想分割線により矩形に区分された矩形ユニットに対して表示されていることを特徴とする請求項１に記載の画像表示保持体。
【請求項１０】
矩形のシート状画像の表面を覆う透明の第１矩形板状部材Ａと、その透明第１矩形板状部材Ａと同形、同寸であって、前記シート状画像を前記透明第１矩形板状部材Ａの所定位置に位置決めさせ、前記シート状画像の裏面に配置される透明第２矩形板状部材Ｂと、前記透明第１矩形板状部材Ａと透明第２矩形板状部材Ｂの間で前記シート状画像を前記所定位置に圧接保持させる圧接部材Ｄを含んで構成され、前記透明第２矩形板状部材Ｂは、前記シート状画像に圧接する平面の中心点（透明第２矩形板状部材Ｂの角部Ｆ1、Ｆ3およびＦ2、Ｆ４を結ぶ各対角線の交点）と、その中心点を通り、圧接平面の上下縁に垂直であって、前記シート状画像の上下縁より外側部分を含まない直線部分が表示されていることを特徴とする矩形のシート状画像を表示保持する画像表示保持体であって、前記透明第１矩形板状部材Ａは前記上縁から更に上方向に前記透明第１矩形板状部材Ａと同形、同寸の面積をもって延長され、少なくともこの延長部分Ａ1の下縁部分が透明第１矩形板状部材Ａの裏面と圧接触する状態で、且つ前記第１矩形板状部材Ａの上縁に沿って第１矩形板状部材Ａの裏面側に折曲げられ、この折曲げられた透明第１矩形板状部材Ａの延長部分Ａ１が前記圧接部材Ｄを形成していることを特徴とする画像表示保持体。
【発明の詳細な説明】
【技術分野】
【０００１】
本発明は、写真画像、印刷物、コンピュータ画像処理されたデジタル画像などの画像（本発明においては、これらの写真画像、印刷物、あるいはそれに相当する書画などの実物画像を含めて「シート状画像」と称する。）を保持して表示する画像表示保持体、特に、画像を画像表示保持体に収納する場合に、所定の収納位置に確実、且つ容易に配置出来る画像表示保持体に関する。
【背景技術】
【０００２】
近年、特にデジタル写真や、コンピュータ画像処理技術の著しい発展に伴って、中高生などでもデジタル画像を容易く作成できるようになると共に、作成したデジタル写真画像の画像表示保持体（例えば、写真表示パネル）、即ち、従来絵画などの画像を収納、保持する額縁などのような画像表示保持体が要求されるようになっている。然しながら、現在、一般市場で購入できる画像表示保持体は、価格、外観、品質の点で問題があり、作品に相応する価格の写真画像用の表示保持体を一般市場で入手することが極めて困難である。
【０００３】
従来、台シートの上に乗せた写真などの展示物を、裏から粘着テープで止められるようにし、また、展示物のサイズや止め位置と方向に、自由性を持たせるために、「（イ）台シートに窓穴形式の位置決め部を設けて、乗せて位置させた写真等を台シートの裏面から粘着テープなどで貼りとめられるようにする。（ロ）台シートと透明シートの間に写真等を挟むものであって、台シートに窓穴形式の位置決め部を設ける。（ハ）いずれか一方が透明でなる二枚のシートを重ね、隣合う二辺を固着し、挾み込む写真等の位置決め部を複数設けた展示パネル」が知られている（特許文献１）。しかしながら、このパネル材では、接着材を使用するためにシート状装飾物および台シートが汚れる欠点があり、またその保持位置へのシート状物の正確で速やかな配置も容易に行われない欠点があった。
【０００４】
また、シート状画像を所定位置に保持して簡単な作業で体裁よく表示するパネル材の提供を目的とした、「透明樹脂板の裏面側の全面に、強い接着力を有する透明な接着剤層を設けるとともに、その接着剤層の表面に剥離性シート材を被着し、その剥離性シート材の端辺縁部に切れ目を入れて、剥離性シート材の端辺縁部を部分的に剥離可能とした装飾用パネル材において、前記剥離性シート材の表面の、前記切れ目が入れられた端辺縁部とは反対側の端縁部に、シート状装飾物を剥離性シート材の表面に接着させるとともに容易に引き剥がすことが可能である程度の弱い接着力を有する位置決め用の接着部を設け、その接着部により前記透明樹脂板と同等の大きさのシート状装飾物を前記剥離性シート材の表面に仮留めして透明樹脂板に対しシート状装飾物を位置決めすることを特徴とする装飾用パネル材」が知られている（特許文献２）。しかしながら、このパネル材では、前記先行技術と同様に接着材を使用するためにシート状装飾物が汚れる欠点があり、またその保持位置へのシート状物の正確で速やかな配置も容易に行われない欠点があった。
【０００５】
さらに、利便性が高く、汎用性の広い写真掲示パネルに関するものとして、「写真掲示装置のパネル部分に透明アクリル板若しくはガラス板を使用し、パネルの裏面に写真を配置するために必要な面積を中央部に窓抜きし、着磁強度を維持するために十分な面積を窓枠部分に残した着磁性金属箔を接着又はプラスティック成形時に裏面に溶着し、窓枠の面積を超えず且つ十分な着磁強度を維持するサイズに裁断したシート状磁石で写真を裏打ちする状態で窓枠内に固定し、窓枠とシート状磁石を着磁させ、写真を掲示する装置」が知られている（特許文献３）。しかしながら、この装置（パネル）においては、着磁性金属箔からなるシート状磁石を用いたり、さらに写真の配置部分の窓抜きという作業を要求されるなど、格別な材料と複雑な作業とを必要とし、また写真のサイズや表示位置の変更に直ちに対応することは困難であった。
【０００６】
【特許文献１】特開平１１−１５１１５０号公報
【特許文献２】特開２０００−３３５２００号公報
【特許文献３】特開２００２−５１８８６号公報
【発明の開示】
【発明が解決しようとする課題】
【０００７】
本発明は、従来観光地で販売されていた絵葉書を購入する程度の感覚で、専門家が作成した観光地の代表的風景写真画像を収納した画像表示保持体を購入し易い環境をつくることによって、近年衰えた絵葉書販売に変わって観光地の経済に寄与し、更に、購入者が帰宅後に自ら撮影したデジタル写真を素材としたデジタル写真画像を含め、自己の作品であるデジタル写真画像を購入画像と容易く所定位置に置換できる画像表示保持体を提供することを目的としている。
【０００８】
より具体的には、本発明は、以上のような従来の写真などの表示保持体の有する欠点を解消し、製作時間を極めて短縮でき、また組立て、分解が個人でも容易に、迅速に行うことができ、また、接着剤あるいは磁性材料などの格別な材料を要することもないシート状画像の表示保持体を提供することを課題とする。さらに、シート状画像の飾りつけも極めて容易に迅速かつ正確に所定位置に配置することができる画像表示保持体を提供することを目的とするものである。
【課題を解決するための手段】
【０００９】
本発明は、上記目的を達成するために以下のような構成を有する。
【００１０】
第一の態様において、本発明は、矩形のシート状画像を表示保持する画像表示保持体であって、前記シート状画像の画像表面を覆う透明の第１矩形板状部材Ａと、その透明第１矩形板状部材Ａと同形、同寸であって、前記シート状画像を前記透明第１矩形板状部材Ａの所定位置に位置決めさせ、前記シート状画像の裏面に配置される透明第２矩形板状部材Ｂと、前記透明第１矩形板状部材Ａと透明第２矩形板状部材Ｂの間で前記シート状画像を前記所定位置に圧接保持させる圧接部材Ｄを含んで構成され、前記透明第２矩形板状部材Ｂは、前記シート状画像に圧接する平面の中心点（透明第２矩形板状部材Ｂの角部Ｆ1、Ｆ3およびＦ2、Ｆ4を結ぶ各対角線の交点）と、その中心点を通り、圧接平面の上下縁に垂直であって、前記シート状画像の上下縁より外側部分を含まない直線部分が表示されていることを特徴とする画像表示保持体に関する。
【００１１】
第二の態様において、本発明は、第一の態様の画像表示保持体であって、更に透明第１矩形板状部材Ａと同形、同寸の基板Ｃを有し、矩形のシート状画像を透明第１矩形板状部材Ａと透明第２矩形板状部材Ｂの間に保持し、且つ透明第２矩形板状部材Ｂの裏面に基板Ｃが接触した状態で、これら透明第１矩形板状部材Ａ、透明第２矩形板状部材Ｂおよび基板Ｃが上、下、左右側縁において合致するように一体として、前記圧接部材Ｄによって圧接状態で組立てられることを特徴とする画像表示保持体に関する。
【００１２】
第三の態様において、本発明は、第二の態様の画像表示保持体であって、前記基板Ｃは、透明第１矩形板状部材Ａと相似形であり、前記透明第１矩形板状部材Ａ、透明第２矩形板状部材Ｂおよび基板Ｃが一体に組立てられた状態で、前記透明第２矩形板状部材Ｂの側縁から所定範囲で一様に外側にはみ出る大きさの矩形平板であることを特徴とする画像表示保持体に関する。
【００１３】
第四の態様において、本発明は、第二または第三の態様の画像表示保持体であって、前記圧接部材Ｄはボルトおよびナットから構成され、また前記透明第１矩形板状部材Ａ、透明第２矩形板状部材Ｂおよび基板Ｃにより、シート状矩形画像表示保持体が一体に組立てられた状態で、前記画像表示保持体の角部Ｆ1、Ｆ3およびＦ2、Ｆ4を結ぶ各対角線上において、各角部突端より等距離である角部近傍であって、前記透明第１矩形板状部材Ａ、透明第２矩形板状部材Ｂおよび基板Ｃを前記ボルトが貫通し得る位置に貫通孔Ｅが形成されていることを特徴とする画像表示保持体に関する。
【００１４】
第五の態様において、本発明は、第二〜第四のいずれかの態様の画像表示保持体であって、基板Ｃが一様に着色されていることを特徴とする画像表示保持体に関する。
【００１５】
第六の実施態様において、本発明は、第三〜第五のいずれかの態様の画像保持体であって、基板Ｃはシート状画像の大きさに対応する幅の着色された縁を形成することを特徴とする画像表示保持体に関する。
【００１６】
第七の態様において、本発明は、第一〜第六のいずれかの態様の画像表示保持体であって、画像表示保持体の背面に画像表示保持体を垂直壁面に懸垂保持する保持部材を有することを特徴とする画像表示保持体に関する。
【００１７】
第八の態様において、本発明は、第一〜第六のいずれかの態様の画像表示保持体であって、画像表示保持体を設置する平面に対する画像表示保持体の角度を調節可能に保持する保持部材を有することを特徴とする画像表示保持体に関する。
【００１８】
第九の態様において、本発明は、第一の態様の画像表示保持体において、前記透明第２矩形板状部材Ｂの全体に対して設けられた、前記シート状画像に圧接する平面の中心点と、その中心点を通り、圧接平面の上下縁に垂直であって、前記シート状画像の上下縁より外側部分を含まない直線部分を含む組合せ（配置基準線ユニット）が、前記透明第２矩形板状部材Ｂを側縁および上下縁に並行する仮想分割線により矩形に区分された矩形ユニットに対して表示されていることを特徴とする請求項１に記載の画像表示保持体に関する。
【００１９】
第十の態様において、本発明は、矩形のシート状画像の表面を覆う透明の第１矩形板状部材Ａと、その透明第１矩形板状部材Ａと同形、同寸であって、前記シート状画像を前記透明第１矩形板状部材Ａの所定位置に位置決めさせ、前記シート状画像の裏面に配置される透明第２矩形板状部材Ｂと、前記透明第１矩形板状部材Ａと透明第２矩形板状部材Ｂの間で前記シート状画像を前記所定位置に圧接保持させる圧接部材Ｄを含んで構成され、前記透明第２矩形板状部材Ｂは、前記シート状画像に圧接する平面の中心点（透明第２矩形板状部材Ｂの角部Ｆ1、Ｆ3およびＦ2、Ｆ4を結ぶ各対角線の交点）と、その中心点を通り、圧接平面の上下縁に垂直であって、前記シート状画像の上下縁より外側部分を含まない直線部分が表示されていることを特徴とする矩形のシート状画像を表示保持する画像表示保持体であって、前記透明第１矩形板状部材Ａは前記上縁から更に上方向に前記透明第１矩形板状部材Ａと同形、同寸の面積をもって延長され、少なくともこの延長部分Ａ1の下縁部分が透明第１矩形板状部材Ａの裏面と圧接触する状態で、且つ前記第１矩形板状部材Ａの上縁に沿って第１矩形板状部材Ａの裏面側に折曲げられ、この折曲げられた透明第１矩形板状部材Ａの延長部分Ａ1が前記圧接部材Ｄを形成していることを特徴とする画像表示保持体に関する。
【発明の効果】
【００２０】
本発明は、前記のごとき構成を有することにより、従来観光地で販売されていた絵葉書を購入する程度の感覚で、専門家が作成した観光地の代表的風景写真画像を収納した画像表示保持体を購入しやすい環境をつくることによって、近年衰えた絵葉書販売に変わって観光地の経済に寄与し更に、購入者が帰宅後に自ら撮影したデジタル写真を素材としたデジタル写真を含め、自己の作品であるデジタル写真画像を購入画像と容易く所定位置に置換できる画像表示保持体を提供できる。
【００２１】
本発明は、また、より具体的には、以上のように従来の画像表示保持体のように、格別な材料も複雑な作業も必要とせず、また所定位置への画像の配置も接着剤を用いて周辺を汚すこともなく、さらに始めて画像表示保持体を組立てる人にとっても極めて容易に、しかも画像を表示保持体の所定位置に迅速かつ正確に配置できるという利点を有する。さらに本発明は、製作時間を極めて短縮でき、製作コストも低減できる利点を有する。
【発明を実施するための最良の形態】
【００２２】
次に本願発明の画像表示保持体について実施例により、具体的に説明するが、本発明は、この実施例に限定して解釈されるべきではなく、本発明の基本的技術思想の精神に沿って、特許請求の範囲、明細書および図面の記載に基づいて解釈されるべきである。
【００２３】
本発明において、最も重要な構成要素である前記透明第２矩形板状部材Ｂについて図３を参照して説明する。前記透明第２矩形板状部材Ｂに表示される配置基準線（部材Ｂに記載、印刷、刻印などにより表示する。また配置基準線を表示した付着性透明シートを別途用意して、それを付着することにより、配置基準線を表示してもよい。）は、前記シート状画像に圧接する透明第２矩形板状部材Ｂの平面の中心点Ｈ（透明第２矩形板状部材Ｂの角部Ｆ1、Ｆ3およびＦ2、Ｆ4を結ぶ各対角線の交点）と、その中心点を通り、圧接平面の上下縁に垂直であって、前記シート状画像Ｘの上下縁より外側部分を含まない直線部分Ｉである。ここで、前記シート状画像Ｘに圧接する透明第２矩形板状部材Ｂの平面の中心点、つまり透明第２矩形板状部材Ｂの角部Ｆ1、Ｆ3およびＦ2、Ｆ4を結ぶ各対角線の交点は、組立てられた状態の画像表示保持体の中心点、つまりその画像表示保持体の角を結ぶ対角線の交点でもある。図３中、正方形の破線で示されているのは、矩形のシート状画像Ｘの位置を示すために記載されたものであって、透明第２矩形板状部材Ｂに実際に表示されるものではない。Ｅ1は、詳しくは後述するが、画像表示保持体を組立てて一体化するための、図２に示すボルトＤ1の貫通孔を示す。組立てられた状態を確保するためには、貫通孔Ｅ（Ｅ1）内側面にボルトＤ1に切ったねじ山に対応するねじ溝を切ることが好ましい。
【００２４】
上記配置基準線の態様はさまざま考えられるが、少なくとも、中心点（透明第２矩形板状部材Ｂの角部Ｆ1、Ｆ3およびＦ2、Ｆ4を結ぶ各対角線の交点）が判明できるように表示されており（具体化手段としては、点を直線部分より大きくする、濃くする、異なった色にするなどが考えられる）、またその中心点を通り、圧接平面の上下縁に垂直であって、前記シート状画像の上下縁より外側部分を含まない直線部分（ここでは、説明を短くするために「垂直線部分」あるいは「垂直線」と称する）の一部が表示されていることが必要である。より具体的には、矩形のシート状画像を表示保持する場合に、そのシート状画像の裏面にシート状画像の中心点（画像の角を結ぶ対角線の交点）とその交点を通る垂直線部分を表示し（つまり、配置基準線を表示し）、そのシート状画像裏面の配置基準線と、透明第２矩形板状部材Ｂの表面に予め表示された中心点とその中心点を通る垂直線部分、つまり透明第２矩形板状部材Ｂの配置基準線とを一致させて、シート状画像の画像表示保持体を所定位置に配置できる目的を達成できるものであればよい。したがって、前記垂直線部分は、前記中心点を通ると規定しているが、この意味は、上記目的を達成する限り、中心点から上方のみに、あるいは下方のみに延びる垂直線部分であってもよい。また、この垂直線は、断続するものであってもよい。
【００２５】
さらに、配置基準線を構成する直線部分には、中心点を通る水平方向の直線部分を含んでいてもよい。また、この直線部分は、中心点を通る垂直線部分と水平線部分と並行する直線部分を複数有していてもよい。多数の直接部分の場合、たとえばマス目状であってもよい。いずれにしても、矩形のシート状画像を透明第２矩形板状部材Ｂに、各々の配置基準線を一致させることにより配置した場合、その第２矩形配置基準線が、矩形のシート状画像の端縁からはみ出さないようにすることが必要である。
【００２６】
さらに、本発明は、以下のとおり、主に一つのシート状画像に対する画像表示保持体に関して説明するが、前記の各実施形態を一つの配置ユニットとして、複数のシート状画像を配置することができる。具体的には、横長（縦長）の保持体を準備して、その透明第２矩形板状部材Ｂ（図９Ｂ参照）に関して、複数に、例えば仮想分割線Ｚにより２等分して、各区分Ｂ1、Ｂ2を一つのユニットの画像表示部分と考えて、図３における透明第２矩形板状部材Ｂの中心点Ｈと（対角線Ｆ1-Ｆ3と対角線Ｆ1−Ｆ3との交点）と垂直線Ｉの組合せ（配置基準ユニット）と同様に、各区分Ｂ1、Ｂ2に対して、中心点Ｈ1、Ｈ2と垂直線Ｉ1、Ｉ2の各々の組合せ（配置基準線ユニット）を表示する。そして、その一つのユニットに対して表示すべきシート状画像に表示する配置基準線ユニットを対応一致させて、それぞれのシート状画像Ｘ1、Ｘ2を適正に配置表示することにより、一つの画像表示保持体に対して複数のシート状画像を表示・保持することができる。この考え方に従えば、小さなユニットを一つの表示保持体に縦横複数の表示部分を設けて、新たな装飾画像表示保持体として楽しむことができる。この場合は、第２矩形板状部材Ｂに配置基準線ユニットを２つ以上表示する必要がある。また、異なった配置基準線ユニット表示した透明第２矩形板状部材Ｂをセットとして準備して交換可能とすることもできる。さらに、上記配置基準線ユニットの線に沿って目盛りを付けることもできる。また交点Ｈを中心として所定角度ごとに半径方向の線分を表示することもできる。
【００２７】
透明第２矩形板状部材に表示する配置基準線は、予め表示されているものであるが、それに対応する矩形のシート状画像の裏面に表示される配置基準線は、表示保持する際にその裏面に描画してもよいし、また予め印刷などの方法で、裏面に表示しておくこともできる。矩形のシート状画像がシート状写真、印刷物などのように多量に製作されるものの場合、その裏面に予め配置基準線を印刷などの方法で予め表示しておくことが、表示保持の迅速性、簡便性、確実性などの観点から望ましい。
【００２８】
また、本発明の実施形態においては、矩形のシート状画像を表示保持することについて説明したが、前記本発明の態様にそって実施できるものであれば、その形状は、多少の変形は可能である。また、それに応じて、透明第１矩形板状部材Ａ、透明第２矩形板状部材Ｂおよび基板Ｃの形状・寸法についても同様に、本発明の目的と構成に沿った範囲で変形は許容できる。しかしながら、長方形、正方形、これらの形状に近い台形、あるいはこれらを隅取り処理をした程度のものがより好ましい。
【００２９】
また、基板Ｃと透明第２矩形板状部材Ｂとの間に一枚以上の介在板状部材を配置して、例えば、額縁状に画像表示保持体の周縁部分を階段状にするなどにより装飾効果を上げることもできる。階段状に形成する場合の階段のステップ幅に相当する部分、あるいは実施形態などの基板Ｃが透明第２矩形板状部材Ｂの側縁から外側にはみ出す部分は、目指す装飾効果に応じて選定できるが、一つの目安として例えば、横幅２０ｃｍ程度までの保持体の場合では、３〜１０ｍｍ程度の範囲で選定することができる。また、周縁部に凹凸を設けたり、また曲面を設けたりすることもできる。このような修飾を伴う場合、共通する貫通孔Ｅ（図２参照）により、透明第１矩形板状部材Ａ、透明第２矩形板状部材Ｂ、基板Ｃなどの中心点が一致するように、留意することが必要である。
【００３０】
本発明の、透明第１矩形板状部材Ａおよび透明第２矩形板状部材Ｂの材料は、格別限定されず、透明なプラスチック、ガラスなどが使用可能であるが、軽量で運搬および取扱いのし易さからはプラスチック材料が好ましい。透明（着色される場合も含む。但し、透明第１矩形板状部材Ａは無色透明である。）なプラスチック材料としては、アクリル樹脂、ポリカーボネート樹脂、ポリエチレンテレフタレートなどのポリエステル樹脂、透明塩化ビニル樹脂などが例示できる。その内、アクリル樹脂からなる透明第１矩形板状部材Ａと、透明塩化ビニルからなる透明第２矩形板状部材Ｂの組合せが好ましい。透明アクリル樹脂板はある程度の硬度および強度があり、また透明塩化ビニル樹脂板はある程度の柔軟性、圧縮性があることから、それらを組合せることで、保持・固定と形態保持性が確保できる。また基板Ｃの材料としては、板状のプラスチック材料、金属材料、木材などが利用できる。軽量性およびコストの観点から少なくとも木材を利用する場合は、画像を収納表示した状態において、画像を取囲む周縁部分が一様に着色（塗装又は色紙使用）されていることが望ましい。
【００３１】
本発明の画像表示保持体を利用するに当たっては、例えば、矩形のシート状画像の裏面に配置基準線が表示されていない場合は、以下のようにして配置基準線を描画する（図４参照）。まず、矩形のシート状画像の裏面にそのシート状画像の角を結ぶ対角線線ｆ1−ｆ3および対角線ｆ2−ｆ3を描き、その交点ｈを記録・表示し、次いでその交点ｈを通る垂直線ｉ（側縁ｆ1-ｆ2に平行し、上縁ｆ1−ｆ4に直交する）を記録・表示し、これを矩形のシート状画像の裏面に表示した配置基準線とする。
【００３２】
ここで、そのシート状画像の裏面にある配置基準線（図４の中心点ｈと垂直線部分ｉ）と透明第２矩形板状部材Ｂに表示した配置基準線（図３の中心点Ｈと垂直線部分Ｉ）とを重なるように調整・配置して、その後、シート状画像の画像表面側に透明第１矩形板状部材Ａを重ねて、次いで、透明第１矩形板状部材Ａと透明第２矩形板状部材Ｂとを、あるいは状況に応じて、更に基板Ｃとを、それらの隅部に設けた貫通孔ＥにボルトＤ1を貫通させ、その後ナットＤ2により、それらを一体として、緊密に接合させることで、位置ずれのないシート状画像を組込んだ画像表示保持体Ｙを形成する（図１、図２、図５Ａ、５Ｂ、図６Ｃおよび図９Ａ参照）。
【実施例１】
【００３３】
図１は中国の代表的景勝地Mt.Hungshanで撮影した銀塩写真を素材とし、デジタルコンピュータ画像処理によって作成した風景写真を表示保持した本発明による矩形（この場合は、矩形の内の正方形）の画像表示保持体Ｙの正面図である。この画像表示保持体Ｙは、図１および図２（図１で画像表示保持体の側縁に平行の直線Ｉ−Ｉに沿った断面図）に示すように、上から透明第１矩形板状部材（以下単に「第１部材」と言うことがある）Ａ、矩形のシート状画像（以下単に「画像」ということがある。本実施例においては、矩形画像の周囲は一定幅の白色縁Ｘ0で取囲んでいる。）Ｘ、透明矩形第２矩形板状部材（以下単に「第２部材」と言うことがある。）Ｂ、基板Ｃの順序で立方体状に重ねられ、ボルトＤ1、ナットＤ2で構成された圧接部材Ｄで前記立方体を圧接固定して画像Ａを表示保持した状態である。ここでボルトＤ1、ナットＤ2は、少なくとも画像表示保持体Ｙが矩形のシート状画像Ｘを所定位置に配置した状態で圧接固定されるのに必要な範囲でねじが切ってあればよい。各部材の相互のずれをより防止するためには、貫通孔Ｅ内面にボルトＤ1のねじに合わせて、ねじ溝を切るのがよい。
【００３４】
この組立て構成に使用された第２部材Ｂは、その片側表面に、図３に示すように、４角Ｆ1、Ｆ2、Ｆ3、Ｆ4の対応する２点を結ぶ二つの対角線Ｆ1−Ｆ3、Ｆ2−Ｆ4の交点（第２部材の表面の中心点）Ｈと、その交点を通り、上下縁Ｆ1−Ｆ4とＦ2−Ｆ3に直交する直線部分（垂線部分）Ｉを表示する。ここで、この直線部分Ｉは、矩形シート状画像Ｘで覆われる範囲で表示されている必要がある。画像の上下端より外側の部分が表示されると、画像表示保持体を組立てたとき、その外側にはみ出した直線部分が見られることになるからである。
【００３５】
前述のように、図１に示した画像表示保持体の構成部材である第１部材Ａ、第２部材Ｂ、基板Ｃ（基板Ｃの接触面が薄鼠色の紙を付着して一様に着色されている）により構成された前述の立方体を締付けて固定する固定部材Ｄは、ボルトＤ1、ナットＤ2式の締付部材であってもよい。締付けボルトＤ1の貫通孔Ｅは、図２および図３の第２部材Ｂを例として説明すると、二つの対角線Ｆ1−Ｆ3およびＦ2−Ｆ4の各両端Ｆ1、Ｆ3およびＦ2、Ｆ4から対角線の交点Ｈ方向に対角線上のやや内側の等距離位置、例えば１〜３ｃｍの範囲から選ばれた位置に、透明第２部材Ｂの平面に対し垂直のボルト貫通孔Ｅ（Ｅ1）をあけている。その他の部材（画像を除く）についても前記４個の貫通孔Ｅ（Ｅ1）と同寸、同形の孔を前記４個の開口位置にあわせて貫通孔Ｅ（Ｅ1）を形成させれば、これら部材を組み立てて立方体を形成させた後に前記の４つボルト貫通孔Ｅが形成され、これらの貫通孔Ｅにそれぞれ締め付けボルトＤ1を通してナットＤ2で締付けると目的とする画像表示保持体Ｙを形成させる結果となる。
【００３６】
以上述べた画像表示保持体の第１部材Ａの所定位置、即ち、第１部材Ａの中心点を中心として、第１部材Ａの側縁に対し矩形のシート状画像Ｘ（単に「画像Ｘ」とも言う）の側縁が平行する位置（所定位置）に画像Ｘを保持させるには、先ずシート状画像Ｘの裏面（図４参照）において、画像Ｘの４隅（ｆ1、ｆ2、ｆ3、ｆ4）を通過する二つの対角線Ｊ1（ｆ1−ｆ3）、Ｊ2（ｆ2−ｆ4）を描き、その交点（矩形のシート状画像Ｘの中心点）ｈを表示する。次いでその中心点（交点）ｈを通り、画像の両側に平行する直線（つまり、画像表示保持体を立てた状態の垂直線）ｉを描き、第２部材Ｂ（正方形）をかさねて、両者の中心点（交点）（Ｈ、ｈ）と垂直線部分（Ｉ、ｉ）（それらで構成される配置基準線）を各々一致させれば、画像は第１部材Ａの前記所定位置に配置させることとなる。若し前記画像Ｘと第１部材Ａの上縁との間隔を、下縁との間隔と比較して少なめにする場合は、第２部材Ｂの垂直線部分Ｉと画像Ｘの垂直線部分ｉとを一致させた状態で、第２部材Ｂの中心点Ｈに対し画像Ｘの中心点ｈを上にずらせばこの所定位置に画像を位置させることができる。画像表示保持体を組み立てる際に第２部材Ｂに対するシート状画像Ｘの位置ずれの発生を確実に防止するには、シート状画像Ｘの裏面に糊などの接着剤を少し付着させておけばよい。接着剤の使用を避けたい場合、例えば第２部材Ｂをプラスチック材料で形成すれば、静電気作用を利用することで、シート状画像Ｘは第２部材Ｂに張り付いた状態となり、それを第１部材Ａおよび基板Ｃと組立てている間に、シート状画像Ｘが移動することを避けることができる。この際、第２部材Ｂに垂直線部分Ｉの他にそれと直交する水平線（図示せず）を表示する場合には、シート状画像の裏面にそれに応じて、前記垂直線Ｌと直行する水平線を設けることで、表示する画像を水平方向への移動を正確で容易にすることもできる。
【００３７】
第１実施例で説明したシート状画像表示保持体Ｙは、従来の額縁とは異なった審美感を与えることから、基板Ｃにおいて、画像を取り囲む部分に相当する部分Ｙ0またはＹ0とＲ（図１、図２および図５Ａ、５Ｂ参照）を画像にあわせた色に着色したものを採用すれば画像美を引立たせることが出来、或いは額縁的効果を発揮させるに、少なくとも画像を取囲部分だけでも（勿論、全面でもよい）、額縁として審美感のある幾何学的模様をつけるなどの処置を施すことによって、大した経費を追加することなく、既存の額縁に劣らぬ画像表示保持体とすることができる。
【実施例２】
【００３８】
実施例２は、本発明の第三の実施態様である基板Ｃの表面が第１部材Ａの上下、左右側縁より外方に等幅で突出した形状を有することを特徴とする画像表示体Ｙ（図５Ａおよび図５Ｂ参照）に関して、第１実施例に採用したシート状画像Ｘを収納表示した画像表示体（図１および図２参照）との比較において説明する。
【００３９】
図１と図５Ａ、図２と図５Ｂを比較すれば、明らかなように、実施例１の画像表示保持体Ｙと実施例２の画像表示保持体Ｙとの間の構成上の相違は、実施例１では、基板Ｃ、透明第１矩形部材Ａ、透明第２矩形板状部材Ｂが同一寸法であるのに対して、実施例２では、基板Ｃが同一の幅をもって、透明第１矩形部材Ａ、透明第２矩形板状部材Ｂの上下、左右縁より外方に飛び出した縁取り部Ｒを形成し得る寸法の大きい平板であることである。これにより周縁部に立体状の段差ができて、実施例２の画像表示保持体の外観は、従来の額縁により近くなり、画像表示保持体としての外観は向上している。
【実施例３】
【００４０】
次に第１実施例と比較し、極めて製作容易な画像表示保持体としての第３実施例について、図６Ａ、図６Ｂ、図６Ｃを参照して説明する。第３実施例は、基本的形態はカードスタンドのメッセージ用紙保持表示具として知られたものを利用するものであるが、従来知られた構成の保持表示具そのものでは本発明の前記各目的を達成できない。
【００４１】
図６Ａは、発明者の一人が北海道鶴居村で撮影した丹頂鶴の写真を素材としコンピュータ画像処理によって作成したデジタル画像Ｘ（Ｘ0は、画像の周囲の白枠を表わす）を収納表示した画像表示保持体Ｙの正面図を示している。図６Ｂで明らかなように、第１部材Ａと同形、同寸の延長部分Ａ1が第１部材Ａの上縁から上縁に対し垂直方向に延長され、この延長部分Ａ1が、第１部材Ａの上縁にそって、下縁方向に、両者の間の隙間Ａ2を維持し、且つ、延長部分の下端部が第１部材Ａの下端に対し圧接する条件で折曲げられる。したがって、第１部材Ａと折曲げられた延長部分Ａ1の隙間に画像Ｘを所定位置に保持した第２部材Ｂと相互の外縁を合致させた状態で上載せした基板Ｃを前記隙間Ａ2（第１部材Ａとその延長部分Ａ1の間に形成された前記隙間）に挿入することによって、前記延長部分Ａ1の下縁部分が第１部材Ａの下縁に対し圧接状態で外方に変形され、この変形に対する延長部分Ａ1の抵抗力が前記挿入物体を保持する機能を発揮する。尚、前記隙間に挿入する挿入物の厚さは、第１部材Ａと延長部部分Ａ1の折曲上部の隙間Ａ2（図６Ｂ参照）より厚さが小さいことが第３実施例の画像表示保持体の保持機能を維持するために必要である。以上の説明から明らかなように、前記延長部分Ａ1は、第１実施例の固定部材の機能を果たすことから、本願発明では第３実施例の固定部材を構成している。この画像表示保持体Ｙの下端をその幅に応じた溝を有するスタンド状保持具に挿入して机上に飾ることができる。
【００４２】
因みに、第３実施例でも、画像を第２部材Ｂの所定位置に確実に保持させる手法は第１実施例の場合と同一原理に基づくので、その説明は省略する。また、第１部材（延長部分を含む）としては、第１実施例と同様にアクリル樹脂や、再生ペット樹脂（ポリエチレンテレフタレート樹脂）による透明第２部材であるが、前述の説明からも明らかなように、極めて単純な構造であるので、第１実施例の画像表示保持体と比較して安価に供給することができるが、画像表示保持体として、上縁部分の外観が下縁と異なり、第１実施例および第２実施例の画像表示保持体と比較すれば、保持安定性、所定位置への配置確実性、審美性が劣る。
【００４３】
尚、画像を表示させた画像表示保持体Ｙを壁面に吊下げるには、第１実施例を対象として、図７Ａおよび図７Ｂ（図７Ａの側面図）を用いて説明すれば基板Ｃ（図５Ａおよび５Ｂ参照）の上縁の両端の貫通孔Ｅ1に対応する位置に開口Ｍ1を設けた図７Ａ（平面図）に示す保持部材Ｍを組合せればよい。より詳しく説明すると、この保持部材Ｍは二つの開口Ｍ1の中間位置に下方に向かった第２部材部Ｍ2を有し、この第２部材部Ｍ2の中間位置表面から垂直に二つの突起Ｍ3を二つの開口Ｍ1の中心軸と平行位置に形成させ、この二つの突起Ｍ3に画像表示保持体Ｙを壁面から突出した釘状の支持体に吊下げる紐を通す開口Ｍ4（図７Ｂ）を設けている。したがって、通常の額縁と同様に第１実施例の画像表示保持体を吊下げ表示することができる。第３実施例の場合でも前記第２部材部Ｍ2を延長部材Ａ1の背面で上方の中央位置に固定すれば第１実施例と同一効果を得ることとなる。
【００４４】
又画像表示保持体Ｙを水平保面に対し、所定角度で保持する手段もボールジョイントなどの手段があるが、一例として、第１実施例を対象として、図８Ａ、図８Ｂおよび図８Ｃを用いて説明すれば、基板Ｃの背面で中央位置に上下内面が凹面となった水平溝Ｎ1を開口させ（図８Ｂ参照）、開口溝Ｎ1に差込契合する上下面が前記凹面に対応する凸面となった差込部Ｏ1を先端部とする矩形（細長い）支脚部材Ｏと支脚部材Ｏの下方部分を滑脱自在に保持する空洞部を有する調整部材Ｐと前記支脚部材Ｏを調整部材Ｐに固定する固定ねじ部材Ｑによって構成された保持部材Ｎ（図８Ａ参照）を使用すれば、矩形支脚部材Ｏと調整部材Ｐとの相互位置を調整することによって、画像表示保持体の水平面保持面に対する傾斜角度を調整することが容易に可能となる。第３実施例の場合でも延長部分（固定部材部分）に同様の措置をとればよい。
【００４５】
以上述べた三つの実施例から明らかなように、本願発明による画像表示保持体は、特に透明第２矩形板状部材Ｂの採用によって、表示画像（シート状画像）を使用者が望む画像表示保持体の所定位置に確実、且つ容易に保持することが可能となったばかりでなく、特に額縁的審美性を必要とする場合は基板Ｃを部厚くし、第１部材の価格を出来るだけ安価にするため、この部材を従来の製品に比べてより薄くすることによって、機能の割に安価とするなどの対策を適用しても、審美性、機能性を満足させた画像表示保持体を提供することが可能となり、更に、室内の装飾にこだわることが特にない場合は更に安価な第３実施例の画像表示保持体を提供することを可能とした。
【００４６】
本発明の他の態様として、画像表示保持体を横長の長方形として、それを二等分し、それぞれに矩形のシート状画像を表示した画像表示保持体Ｙの正面図を図９Ａとして、またそれに使用される仮想分割線Ｚを中心として２等分された画像表示ユニットＢ1およびＢ2を有する透明第２矩形板状部材Ｂを図９Ｂとして記載する。各部分の記号は前記の対応部分と同様である。この実施態様では、図９Ａに示されるとおり、透明第１矩形板状部材Ａと透明第２矩形板状部材Ｂとの寸法は同じであり、基板Ｃはそれらより、寸法を大きくすることで、縁取りＲを形成している。図９Ｂに示すように、この実施態様の透明第２矩形板状部材Ｂには、その透明第２矩形板状部材Ｂを側縁および上下縁に並行する仮想分割線Ｚにより矩形に区分された左右の矩形の画像表示ユニットＢ1、Ｂ2の各々に対してそれぞれの中心点Ｈ1、Ｈ2と、その中心点Ｈ1、Ｈ2を通り圧接平面の上下縁に垂直であって、前記シート状画像の上下縁より外側部分を含まない直線部分Ｉ1、Ｉ2を含む組合せ（配置基準線ユニット）が、表示されている（本実施態様では、側縁に並行する方向（垂直線）で２つに等分されている）。一つの矩形ユニットには、前記の鶴の飛翔する様を写した矩形のシート状画像Ｘ1（やや幅広の白枠Ｘ′0）が表示保持され、他方の矩形ユニットには、前記の先に示した中国の風景を写した矩形のシート状画像Ｘ2（やや幅狭の白枠Ｘ0）が表示保持されている。ここで、図９Ｂ中の仮想分割線Ｚは、矩形のシート状画像の外形寸法に応じた画像配置に対して応じて決められるものである。つまり、前記配置基準ユニットを透明第２矩形板状部材Ｂの適正位置に表示するための位置決め用の想定線であって、その第２部材Ｂに実際に表示されるものではない。
【図面の簡単な説明】
【００４７】
【図１】図１は、本発明の第一の態様に係る画像表示保持体（正方形）にシート状画像を表示保持させた状態の画像表示保持体（基板Ｃの寸法が透明第２矩形板状部材などと同じ）の正面図である。
【図２】図２は、図１の画像表示保持体の側縁に沿ったＩ−Ｉの断面図である。
【図３】図３は、図１の画像表示保持体を構成する透明第２矩形板状部材の正面図である。
【図４】図４は、配置基準線を描画したシート状画像（正方形）の裏面を示す平面図である。
【図５Ａ】図５Ａは、シート状画像を表示した状態の本発明の第２実施例に係る画像表示保持体の正面図である。
【図５Ｂ】図５Ｂは、図５Ａに示す本発明の第２実施例に係る画像表示保持体の画像を保持した状態のII−II断面図である。
【図６Ａ】図６Ａは、シート状画像を表示保持した状態の本発明の第３実施例に係る画像表示保持体の正面図である。
【図６Ｂ】図６Ｂは、透明第２矩形板状部材のみを挿入保持した状態の本発明の第３実施例に係る画像表示保持体の側面図である。
【図６Ｃ】図６Ｃは、シート状画像、透明第２矩形板状部材および基板を挿入保持した状態の正面図である図６Ａに示す本発明の第３実施例に係る画像表示保持体の側面図である。
【図７Ａ】図７Ａは、本発明の画像表示保持体を壁面に掛けるための保持部材Ｍの平面図である。
【図７Ｂ】図７Ｂは、本発明の画像表示保持体を壁面に掛けるための保持部材の側面図である。
【図８Ａ】図８Ａは、本発明の画像表示保持体の保持部材を画像表示保持体（一部のみ表示）に契合した状態を示す側断面図である。
【図８Ｂ】図８Ｂは、図８Ａに示した保持部材Ｎの先端部分を挿入する水平溝を設けた画像表示保持体を構成する基板の背面を表す（水平溝）の一部平面図である。
【図８Ｃ】図８Ｃは、図８Ａに示した保持部材Ｎの正面図である。
【図９Ａ】図９Ａは、本発明のその他の態様に係る画像表示保持体（長方形）にシート状画像を２つ並列して表示保持させた状態の画像表示保持体（基板Ｃの寸法が透明第２矩形板状部材Ｂなどより大きい）の正面図である。
【図９Ｂ】図９Ｂは、図９Ａに示す画像表示保持体に使用する透明第２矩形板状部材Ｂの平面図である。
【符号の説明】
【００４８】
Ａ    透明第１矩形板状部材
Ａ1    第２実施例の透明第１矩形板状部材Ａを延長した部分で構成され、透明第１矩形板状部材Ａと関連して、それらの間に挿入される透明第２矩形板状部材Ｂとシート状画像とを圧接し、表示保持する固定部材
Ａ2    透明第１矩形板状部材Ａの上縁部分で、降り曲げられた延長部分Ａ1との間に形成された隙間
Ｂ    透明第２矩形板状部材
Ｂ1、Ｂ2    透明第２矩形板状部材を仮想分割線Ｚで２等分した画像表示ユニット
Ｃ    基板
Ｄ    固定部材
Ｄ1、Ｄ2    固定部材Ｄを構成するボルトＤ1とそのナットＤ2
Ｅ、Ｅ1    透明第１矩形板状部材Ａおよび透明第２矩形板状部材Ｂの４隅から所定距離に設けたボルトを通す貫通孔
Ｘ、Ｘ1、Ｘ2    シート状画像
Ｘ0、Ｘ′0    シート状画像を構成する縁取り（写真の周囲の白枠）
Ｙ    シート状画像が表示保持された状態の画像表示保持体
Ｙ0    シート状画像の外周と透明第１または第２矩形板状部材の外側縁との間の周縁部
Ｚ    仮想分割線
Ｆ1、Ｆ2、Ｆ3、Ｆ4    透明第２矩形板状部材の４隅
Ｈ    透明第２矩形板状部材Ｂに描いた中心点（対角線Ｆ1−Ｆ3、Ｆ2−Ｆ4の交点）
Ｈ1、Ｈ2    画像表示ユニットＢ1、Ｂ2の中心点
Ｉ    透明第２矩形板状部材Ｂに描いた対角線の中心点Ｈを通過し、透明第２矩形板状部材Ｂの側縁に平行した垂直線
Ｉ1、Ｉ2    画像表示ユニットＢ1、Ｂ2の中心点Ｈ1、Ｈ2を通る垂直線
ｆ1、ｆ2、ｆ3、ｆ4    シート状画像の４隅
Ｊ1、Ｊ2    シート状画像裏面の４隅を結ぶ二つの対角線
ｈ    対角線Ｊ1、Ｊ2の交点
ｉ    交点ｈを通過し画像の側縁と平行する垂直線
Ｍ    画像表示保持体の裏面に固定部材Ｄで固定する画像懸垂体（保持部材）
Ｍ1    画像懸垂体Ｍ（保持部材）の上端（両端部）に設けた開口
Ｍ2    画図懸垂体Ｍ（保持部材）の中央部に形成した第２部材部
Ｍ3    Ｍ2面から突出した一対の突起
Ｍ4    前記突起に設けた孔
Ｎ    保持部材
Ｎ1    保持部材Ｎの端部を挿入固定するための、画像表示保持体の裏面を構成する基板Ｃに形成した水平溝
Ｏ    画像表示保持体を支持する、保持部材を構成する矩形支脚
Ｏ1    矩形支脚Ｏの先端部分であって、前記水平溝Ｎ1に差込む部分
Ｐ    矩形支脚Ｏを抜差自在に保持する空洞部分を有する画像表示保持体の傾斜調整部材
Ｑ    画像表示保持体の傾斜調整部材Ｏ2に設けられたねじ孔を通し、矩形支脚Ｏ傾斜調整部材Ｐに設けた固定ねじ
Ｒ    縁取り（透明第１または第２矩形板状部材の側縁から所定範囲ではみ出た周縁部）
【図１】
2006296970.tif 000003
【図２】
2006296970.tif 000004
【図３】
2006296970.tif 000005
【図４】
2006296970.tif 000006
【図５Ａ】
2006296970.tif 000007
【図５Ｂ】
2006296970.tif 000008
【図６Ａ】
2006296970.tif 000009
【図６Ｂ】
2006296970.tif 000010
【図６Ｃ】
2006296970.tif 000011
【図７Ａ】
2006296970.tif 000012
【図７Ｂ】
2006296970.tif 000013
【図８Ａ】
2006296970.tif 000014
【図８Ｂ】
2006296970.tif 000015
【図８Ｃ】
2006296970.tif 000016
【図９Ａ】
2006296970.tif 000017
【図９Ｂ】
2006296970.tif 000018